(57)【要約】【課題】簡易な構造で屋根への施工がしやすく、かつ取り付けた後に機械的構造に起因する、がたつき、ぐらつき等が発生するおそれのない屋根上取付具を提供する。【解決手段】屋根上に物品を設置するために屋根３０の上面に取り付ける屋根上取付具Ａは、物品が設置される物品設置部１１と、屋根３０上面に取り付ける取付基板部１２とを有したブロック体１０構造とされ、取付基板部１２の屋根（折板屋根３０）上面との取付面に粘着層１４を備えている。【選択図】図１
2011111743.tif 000002
【特許請求の範囲】
【請求項１】
屋根上に物品を設置するために屋根上面に取り付ける屋根上取付具において、
上記物品が設置される物品設置部と、上記屋根上面に取り付ける取付基板部とを有したブロック体構造とされ、該取付基板部の上記屋根上面との取付面に粘着層を設けたことを特徴とする屋根上取付具。
【請求項２】
請求項１において、
上記屋根は、頂部より上向きボルトが突出した波形屋根で構成されており、
上記取付基板部の取付面から上記物品設置部の上面までの高さ寸法を、上記上向きボルトの突出高さ寸法よりも大としている屋根上取付具。
【請求項３】
請求項２において、
上記ブロック体は中空構造とされ、
上記取付基板部には、上記上向きボルトを上記ブロック体の中空部に収容させるための開口が形成されている屋根上取付具。
【発明の詳細な説明】
【技術分野】
【０００１】
本発明は、屋根上に取り付けられる屋根上取付具に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
同文献の屋根上取付具は、２つの挟持金具を組み合わせてなり、波形屋根の接合部であるハゼ部の基端部を挟持させる構造となっており、基端部を挟持することで横方向に突出したハゼ部に引っ掛け係止させることができるので、上方への引っ張り力が作用しても屋根から外れるおそれはない。
【０００４】
また、本出願人は、屋根材同士を重ねてなる重合部を上向きボルトで接合するようにした波形屋根において、その上向きボルトを挟着できる構造とした屋根上取付具を種々試行しているが、その取付具は上向きボルトの軸部に係止する構造としているため、上記文献のものと同様に容易に外れることはない。
【先行技術文献】
【特許文献】
【０００５】
【特許文献１】特許第３３６８３７４号
【発明の概要】
【発明が解決しようとする課題】
【０００６】
しかしながら、ハゼ部や上向きボルトへの挟持あるいは挟着により屋根に取り付ける屋根上取付具では、挟持、挟着のための締付構造を必要とするため、全体の構造が複雑なものとなりがちである。
【０００７】
また、これらの屋根上取付具は機械的な締付動作で屋根へ固定する構造であるため、締め付けが少しでも緩むと、がたついたり、ぐらついたりするおそれもある。特に、特許文献１のものは２部材（挟持金具）を組み合わせて構成しているため、しっかりと挟持していてもずれが発生するおそれがある。
【０００８】
さらに、従来の屋根上取付具によれば、この取付具を屋根にいったん取り付けた後に取付具の不具合等により取り替える場合には、取り替え作業がきわめて面倒であるという問題もあった。
【０００９】
本発明は、このような事情を考慮して提案されたもので、その目的は、簡易な構造で屋根への施工がしやすく、かつ取り付けた後に機械的構造に起因する、がたつき、ぐらつき等が発生するおそれのない屋根上取付具を提供することにある。
【課題を解決するための手段】
【００１０】
上記目的を達成するために、請求項１に記載の屋根上取付具は、屋根上に物品を設置するために屋根上面に取り付ける屋根上取付具において、物品が設置される物品設置部と、屋根上面に取り付ける取付基板部とを有したブロック体構造とされ、取付基板部の屋根上面との取付面に粘着層を設けたことを特徴とする。
【００１１】
ここで、ブロック体とは中実の塊状のものに限らず、パイプ等の中空構造のものも含まれる。
【００１２】
請求項２に記載の屋根上取付具は、屋根が頂部より上向きボルトが突出した波形屋根で構成されており、取付基板部の取付面から物品設置部の上面までの高さ寸法を上向きボルトの突出高さ寸法よりも大としている。
【００１３】
請求項３に記載の屋根上取付具は、上記ブロック体が中空構造とされ、取付基板部には、上向きボルトをブロック体の中空部に収容させるための開口が形成されている。
【発明の効果】
【００１４】
請求項１に記載の屋根上取付具によれば、取付基板部の屋根上面との取付面に粘着層を設けているので、この取付基板部の取付面を屋根上面に押し当てて貼り付けるだけで屋根に固定できる。また、このように施工が簡易に行えるため、屋根にいったん取り付けた後に取付具の不具合等により取り替える場合の取り替え作業もしやすく、補修に適している。
【００１５】
さらに、屋根上取付具が少なくとも物品設置部と、粘着層を設けた取付基板部とを有した簡易なブロック体構造であるため、屋根へ固着させるための例えば挟持構造等の機械的構造を備える必要がない。そのような機械的構造を備えていないため、機械的構造に起因する、がたつき、ぐらつき等が発生するおそれもなく、屋根上取付具の安定した取り付け状態を維持できる。また、機械的構造を必要としないため、屋根上取付具を安価に製造することができる。
【００１６】
請求項２に記載の屋根上取付具によれば、取付基板部の取付面から物品設置部の上面までの高さ寸法が、取り付け対象である波形屋根の頂部より突出した上向きボルトの突出高さ寸法よりも大きいので、上向きボルトが屋根上取付具の物品設置部の上面より突出することがない。そのため、上向きボルトは物品設置にはじゃまにならず、物品設置部の上面の高さ位置に断熱シート等のシート材を張り巡らすことができる。
【００１７】
請求項３に記載の屋根上取付具によれば、取付基板部には上向きボルトをブロック体の中空部に収容させるための開口が形成されているので、上向きボルトを覆い隠すことができる。
【図面の簡単な説明】
【００１８】
【図１】本発明に係る屋根上取付具の一実施形態の説明図であり、（ａ）は屋根上取付具を波形屋根へ取り付ける前の状態を示した斜視図、（ｂ）は同屋根上取付具の部分底面図である。
【図２】（ａ）、（ｂ）は、同屋根上取付具の施工手順を示す正面図である。
【図３】同屋根上取付具の他の取り付け態様を示す図で、屋根上取付具を波形屋根へ取り付ける前の状態を示した斜視図である。
【図４】同屋根上取付具を波形屋根へ取り付けた状態を示す正面図である。
【図５】（ａ）〜（ｃ）は、本発明に係る屋根上取付具の他の実施形態３例を示す斜視図である。
【図６】他の屋根上取付具の波形屋根への取り付け状態を示す斜視図である。
【発明を実施するための形態】
【００１９】
以下に、本発明に係る屋根上取付具の実施の形態について、図面とともに説明する。
【００２０】
図１は本発明に係る屋根上取付具の一実施形態の説明図であり、図１（ａ）は屋根上取付具を波形屋根へ取り付ける前の状態を示した斜視図、図１（ｂ）は同屋根上取付具の部分底面図である。図２（ａ）、（ｂ）は、同屋根上取付具の施工手順を示す正面図である。
【００２１】
なお、図２（ａ）は、屋根上取付具Ａを波形屋根に取り付ける前の状態を示す正面図、図２（ｂ）は、屋根上取付具Ａを波形屋根の上向きボルトに取り付けた状態を示す正面図である。
【００２２】
この屋根上取付具Ａが取り付けされる屋根としては、図例として示した折板屋根３０（角波形屋根）や丸波形屋根等の波形屋根が挙げられるが、平板屋根であってもよい。また、屋根の素材としては、金属や合成樹脂、セメント系等のものが適用できる。
【００２３】
図例として示した折板屋根３０は、山部３１と谷部３２とが交互に連続する屋根であって、複数の折板屋根材を側端縁の山部３１の頂部３１ａで重合し、その重合部で上向きボルト２１とナット２２の螺着によって連結した重ね式接合構造となっている。また、ボルト孔３１ｂからの水の浸入を防止するために、ナット２２と頂部３１ａとの間に防水パッキン（不図示）が取り付けられている。さらに、ナット２２と防水パッキンとの間に防水パッキンを覆う山座を設けてもよい。
【００２４】
また、折板屋根３０の裏側には、正面視で折板屋根３０と略同形状をなす、ボルト止めのための支持金具３３が取り付けられている。
【００２５】
この屋根上取付具Ａは、金属板または硬質樹脂板よりなり、折板屋根３０の頂部３１ａより上方に突出した重合部連結用の上向きボルト２１を覆い隠すように被せて取り付けるようになっている。
【００２６】
本実施形態では、屋根上取付具ＡはＣ型チャンネル形状の中空ブロック体構造とされ、図例では長尺のブロック体１０が使用されている。このブロック体１０は、図例のように頂部３１ａに沿って長尺のものを間隔を置かずに使用してもよいし、後述する図６のように適宜な長さに切断したものを間隔を置いて使用してもよい。
【００２７】
この屋根上取付具Ａを構成するブロック体１０は、天板部と、脚部と、長手方向に沿って形成された開口１２ａを有した底板部とよりなり、天井部が各種機器・部材類等の物品が設置される物品設置部１１を構成し、底板部が折板屋根３０の頂部３１ａ上面に取り付けるための取付基板部１２を構成している。また、屋根上取付具Ａの物品設置部１１の上面までの高さ寸法Ｈ１は、上向きボルト２１の突出高さ寸法Ｈ２よりも大とし、屋根上取付具Ａの幅寸法は頂部３１ａの幅寸法と略同一としている（図２（ｂ）参照）。
【００２８】
取付基板部１２の開口１２ａは、屋根上取付具Ａを折板屋根３０の頂部３１ａに取り付けたときに上向きボルト２１をブロック体１０の中空部１３に収容できるように、ナット２２の最大幅寸法よりも大きな寸法の開口幅Ｓとなっている（図１（ｂ）参照）。なお、ナット２２の下方に山座を設けたものでは、その山座の径よりも幅寸法の大きな開口を形成させる必要があることはいうまでもない。
【００２９】
この取付基板部１２の頂部３１ａ上面との取付面には、図１（ｂ）のクロスハッチングで示しているように、頂部３１ａ上面に接着させるための粘着層１４が形成されている。粘着層１４としては、両面粘着テープを取付基板部１２に貼り付けて簡易に形成することが望ましい。
【００３０】
このように、屋根上取付具Ａの取付基板部１２の頂部３１ａ上面との取付面に粘着層１４が設けてあるので、この粘着層１４を頂部３１ａ上面に貼り付けるだけで屋根上取付具Ａを取り付けることができ、簡易かつ迅速な施工が行える。
【００３１】
また、屋根上取付具Ａの取付基板部１２に粘着層１４を設けさえすれば屋根上面に取り付けできるので、必然的に、屋根上取付具Ａを少なくとも物品設置部１１と、粘着層１４を設けた取付基板部１２とを有した簡易なブロック体構造とすることができる。このブロック体構造には、屋根へ固着させるための例えば挟持構造等の機械的構造を設ける必要がないので、機械的構造に起因する、がたつき、ぐらつき等が発生するおそれは当然になく、屋根上取付具Ａを安定した取り付け状態で維持させることができる。また、機械的構造を必要としないため、屋根上取付具Ａを安価に製造することができる。
【００３２】
さらに、本実施形態では、図２（ｂ）に示すように、屋根上取付具Ａの物品設置部１１の上面までの高さ寸法Ｈ１を、上向きボルト２１の突出高さ寸法Ｈ２よりも大きくしているので、上向きボルト２１が物品設置部１１の上面より突出することがなく、そのため、屋根上取付具Ａを上向きボルト２１が露出されるように配した場合でも、上向きボルト２１は物品設置にはじゃまにならず、物品設置部１１の上面の高さ位置に断熱シート等のシート材を張り巡らすことができる。
【００３３】
また、取付基板部１２には上向きボルト２１を挿入できるように開口１２ａと中空部１３とを有しているので、図１の例のように、屋根上取付具Ａを上向きボルト２１を避けるようにして配設する必要がなく、そのため長尺状の屋根上取付具Ａを頂部３１ａの全長にわたって配設することができ、施工が簡易かつ迅速に行える。
【００３４】
ついで、同屋根上取付具Ａの他の取り付け態様について、図３および図４を参照しながら説明する。図３は、屋根上取付具Ａを折板屋根３０へ取り付ける前の状態を示した斜視図であり、図４は、屋根上取付具Ａを折板屋根３０へ取り付けた後の状態を示した正面図である。
【００３５】
本図例では、図１、図２で示した屋根上取付具Ａを用いて、折板屋根３０の連結構造として、折板屋根３０の上面に断面略円状に突出された丸ハゼ型のハゼ部によって連結されたものについて示している。
【００３６】
屋根上取付具Ａは、頂部３１ａに沿って形成されたハゼ部２５をブロック体１０の中空部１３に挿入させた状態で、取付基板部１２の粘着層１４によって頂部３１ａの上面に固着される。
【００３７】
このように、取付基板部１２に開口１２ａを有した中空構造の屋根上取付具Ａによれば、重ね式接合構造の上向きボルト２１が突出した頂部３１ａのみならず、ハゼ式接合における、頂部３１ａの全長にわたって寸断なく形成されているハゼ部２５を有した頂部３１ａに対しても問題なく取り付けることができる。
【００３８】
本発明の屋根上取付具としては、上記のＣ型チャンネル形状のものの他に種々の形状のブロック体が使用でき、例えば図５（ａ）〜（ｃ）に示すようなものが挙げられる。
【００３９】
図５（ａ）に示した屋根上取付具Ａは、中実構造の角ブロック体で、ブロック体１０の天井部が物品設置部１１を構成し、底部が取付基板部１２を構成し、取付基板部１２の下面には粘着層１４が形成されている。また、上向きボルト２１を収容できるように、取付基板部１２側に開口１２ａを有した筒状の空洞部１５が形成されている。もちろん、このような空洞部１５を形成せずに、上向きボルトを避けるように適宜な長さに切断して使用してもよい。
【００４０】
図５（ｂ）に示した屋根上取付具Ａは、中空構造の角パイプ状のブロック体とされ、ブロック体１０の天板部が物品設置部１１を構成し、底板部が取付基板部１２を構成し、取付基板部１２には粘着層１４が形成されている。また、図例のように、上向きボルト２１を中空部１３に収容できるように取付基板部１２に円形の開口１２ａを形成してもよい。
【００４１】
図５（ｃ）に示した屋根上取付具Ａは、Ｈ型鋼形状のブロック体とされ、ブロック体１０の天板部が物品設置部１１を構成し、底板部が取付基板部１２を構成し、取付基板部１２には粘着層１４が形成されている。
【００４２】
以上の３例においても、図１と同様に、物品設置部１１の上面までの高さは、頂部３１ａの上面より突出した上向きボルト２１の突出高さより高くすることが望ましい。
【００４３】
図６は、図５（ｂ）に示した角パイプ状の屋根上取付具Ａの施工例を示す斜視図である。
【００４４】
図例では、頂部３１ａの幅寸法に切断した角パイプを上向きボルト２１間に設置したものを示している。
【００４５】
このように、頂部３１ａから突出した上向きボルト２１を収容する収容部や、挿入させる開口がないものでは、図６に示したように、上向きボルト２１間に屋根上取付具Ａを配設すればよい。このように屋根上取付具Ａを部分的に配設すれば、費用を節約することもできる。
【００４６】
以上では屋根上取付具Ａを取り付ける屋根として折板屋根３０を例示したが、丸波屋根、平板屋根等、種々の形状の屋根にも適用でき、また屋根材の接合部だけではなく種々の箇所にも適用できる。本発明の屋根上取付具Ａは、上向きボルト２１に対して直接取り付けるものではないから、接合部ではない箇所に取り付ける場合にも上向きボルト２１を突出させる必要がなく、よって、ボルト用の孔を開ける必要もないから、屋根上取付具Ａを接合部ではない箇所へ設置する場合には、水漏れ対策をとらなくてもよい。
【符号の説明】
【００４７】
Ａ      屋根上取付具
１０      ブロック体
１１      物品設置部
１２      取付基板部
１２ａ      開口
１３      中空部
１４      粘着層
２１      上向きボルト
２２      ナット
２５      ハゼ部
３０      折板屋根（屋根）
３１      山部
３１ａ      頂部
３２      谷部
【図１】
2011111743.tif 000003
【図２】
2011111743.tif 000004
【図３】
2011111743.tif 000005
【図４】
2011111743.tif 000006
【図５】
2011111743.tif 000007
【図６】
2011111743.tif 000008